(57)【要約】 【課題】  体積が小さく、且つ良好な画像品質を有するカメラ装置を提供し、且つ１つ以上の光学レンズを含み、特殊な撮影の目的の要求を達成すると同時に、カメラ装置の内部の空間が最適に利用されることができるカメラ装置を提供することである。  【解決手段】  方形行列の方式で配列された複数のイメージセンサ、および前記イメージセンサにそれぞれ面して設置される複数の光学レンズを有し、各前記光学レンズのエッジは、少なくとも、直線部を含み、２つの隣接する前記光学レンズのエッジの直線部は、互いに対向することを特徴とするカメラ装置。【選択図】  図３
2017138600.tif 000002
【特許請求の範囲】
【請求項１】
方形行列の方式で配列された複数のイメージセンサ、および
前記イメージセンサにそれぞれ面して設置される複数の光学レンズを有し、
各前記光学レンズのエッジは、少なくとも、直線部を含み、２つの隣接する前記光学レンズのエッジの直線部は、互いに対向することを特徴とするカメラ装置。
【請求項２】
前記２つの対向する直線部は、対応する２つの前記光学レンズの光軸の間に位置する請求項１に記載のカメラ装置。
【請求項３】
前記２つの対向する直線部は、互いに平行である請求項１に記載のカメラ装置。
【請求項４】
前記イメージセンサは、それぞれ長方形の平面形状を有し、且つ上から見た方向で観察すると、横方向軸線は、前記イメージセンサの２つの長辺を通過し、且つ各前記光学レンズのエッジは、前記横方向軸線上に配列された２つの直線部を含む請求項１に記載のカメラ装置。
【請求項５】
各前記光学レンズの前記２つの直線部は、前記横方向軸線に垂直である請求項４に記載のカメラ装置。
【請求項６】
上から見た方向で観察すると、複数の縦方向軸線は、前記イメージセンサの短辺を通過し、且つ各前記光学レンズのエッジは、対応する各前記光学レンズの縦方向軸線上に配列された２つの曲線部を含む請求項４に記載のカメラ装置。
【請求項７】
前記光学レンズをそれぞれ駆動し、対応する前記イメージセンサに対して前記光学レンズを移動させる複数の駆動アセンブリを更に含み、
前記イメージセンサは、それぞれ長方形の平面形状を有し、且つ上から見た方向で観察すると、横方向軸線は、前記イメージセンサの２つの長辺を通過し、且つ複数の縦方向軸線は、各前記イメージセンサの短辺を通過し、
前記駆動アセンブリは、対応する前記イメージセンサの前記縦方向軸線の上にそれぞれ設置され、且つ隣接する前記光学レンズが対応する前記駆動アセンブリは、前記横方向軸線の一方側と他方側に設置される請求項１に記載のカメラ装置。
【請求項８】
前記イメージセンサと前記光学レンズの間に位置する基板を更に含む請求項１に記載のカメラ装置。
【請求項９】
ハウジングを更に含み、前記光学レンズは、前記ハウジングと前記基板により規定された空間内に設置される請求項８に記載のカメラ装置。
【請求項１０】
複数のフレキシブル基板を更に含み、前記イメージセンサは、それぞれ長方形の平面形状を有し、前記フレキシブル基板は、前記イメージセンサの短辺にそれぞれ隣接して設置される請求項１に記載のカメラ装置。
【発明の詳細な説明】
【技術分野】
【０００１】
本発明は、電子装置およびそのアセンブリに関し、特に、撮影機能を有するカメラ装置に関するものである。
【背景技術】
【０００２】
科学の進歩により、カメラ装置の体積は、かなり縮小され、多くの携帯型電子装置、例えば携帯電話には、ほとんどデジタルカメラの機能が備わっており、これらは全てレンズアセンブリの微小化のおかげである。
【０００３】
現在、カメラの品質は、数千万画素に上っている。一般的に、高画素の画像を実現したい場合、カメラ装置内部に用いられる構成要素、例えば、イメージセンサおよび光学レンズは、比較的大きな体積を有することを免れない。しかしながら、携帯型電子装置は、内部の構造空間に限界がある制限を有する。そのため、如何にして高画質の画像を生成できるだけでなく、体積が小さい利点を有するカメラ装置を設計するかが、製造業者が解決する問題の１つとなっている。
【０００４】
また、特別な撮影、例えば、立体撮影の目的を満足させるために、２つ以上のカメラ装置が電子装置の内部に並べて配置される。しかしながら、モジュールの数が多くなれば、体積も必然的に増えるため、電子製品の小型化への発展の傾向に不利である。従って、如何にして、カメラモジュールの多機能のメカニズムを縮小するかも、製造業者が研究開発する目的となっている。
【先行技術文献】
【特許文献】
【０００５】
【特許文献１】特開２０１２−２２２４７１号公報
【発明の概要】
【発明が解決しようとする課題】
【０００６】
本発明の目的は、体積が小さく、且つ良好な画像品質を有するカメラ装置を提供することである。本発明のもう１つの目的は、１つ以上の光学レンズを含み、特殊な撮影の目的の要求を達成すると同時に、カメラ装置の内部の空間が最適に利用されることができるカメラ装置を提供することである。
【課題を解決するための手段】
【０００７】
上述の目的を実現するために、本発明の一部の実施形態に基づき、上述のカメラ装置は、イメージセンサおよびイメージセンサに対応して設置された光学レンズを含む。各光学レンズのエッジは、少なくとも、直線部を含み、各２つの隣接する光学レンズのエッジの直線部は、互いに対向する。
【０００８】
一部の実施形態では、２つの対向する直線部は、対応する２つの光学レンズの光軸の間に位置する。
【０００９】
一部の実施形態では、２つの対向する直線部は、互いに平行である。
【００１０】
一部の実施形態では、イメージセンサは、それぞれ長方形の平面形状を有し、且つ上から見た方向で観察すると、横方向軸線は、イメージセンサの２つの長辺を通過し、且つ各光学レンズのエッジは、横方向軸線上に配列され、横方向軸線に垂直である２つの直線部を含む。また、上から見た方向で観察すると、複数の縦方向軸線は、各イメージセンサの短辺を通過し、且つ各光学レンズのエッジは、対応する縦方向軸線上に配置された２つの曲線部を含む。
【００１１】
一部の実施形態では、カメラ装置は、複数の駆動アセンブリを更に含み、光学レンズをそれぞれ駆動し、対応するイメージセンサに対して光学レンズを移動させる。駆動アセンブリは、縦方向軸線の上にそれぞれ設置され、且つ隣接する光学レンズが対応した駆動アセンブリは、横方向軸線上の両側に設置される。
【００１２】
一部の実施形態では、カメラ装置は、基板を更に含み、基板はイメージセンサと光学レンズの間に位置する。
【００１３】
一部の実施形態では、カメラ装置は、ハウジングを更に含み、光学レンズは、ハウジングと基板が定義された空間内に設置される。
【００１４】
一部の実施形態では、撮影装置は、複数のフレキシブル基板を更に含み、イメージセンサは、それぞれ長方形の平面形状を有し、フレキシブル基板は、イメージセンサの短辺にそれぞれ隣接して設置される。
【図面の簡単な説明】
【００１５】
【図１】本発明の一部の実施形態のカメラ装置のブロック図を示している。
【図２】本発明の一部の実施形態の光学レンズとイメージセンサの上面図を示している。
【図３】本発明の一部の実施形態のカメラ装置の分解図を示している。
【図４】本発明の一部の実施形態の光学レンズとレンズホルダーの上面図を示している。
【図５】本発明の一部の実施形態の光学レンズとイメージセンサの上面図を示している。
【図６】本発明の一部の実施形態の光学レンズとイメージセンサの上面図を示している。
【図７】本発明の一部の実施形態の光学レンズとイメージセンサの上面図を示している。
【図８】本発明の一部の実施形態の電子装置の概略図を示している。
【図９】本発明の一部の実施形態の電子装置の概略図を示している。
【図１０】本発明の一部の実施形態の２つのカメラ装置が隣接して設置されている概略図を示している。
【図１１】本発明の一部の実施形態の２つのカメラ装置が隣接して設置されている概略図を示している。
【図１２】本発明の一部の実施形態の電子装置の概略図を示している。
【図１３】本発明の一部の実施形態の４つのカメラ装置が隣接して設置されている概略図を示している。
【図１４】本発明の一部の実施形態のカメラ装置の断面概略図を示している。
【図１５】本発明の一部の実施形態のカメラ装置の上面図を示している。
【発明を実施するための形態】
【００１６】
本発明の目的、特徴並び発明の効果をより詳細に理解させるため、以下好適な実施例と添付の図面により、本発明の技術的事項をより詳細に説明する。実施形態の中の各構成要素の配置は、説明のためのものであり、本発明を限定するものではない。また、類似の番号および／または対応の番号の使用は、説明を明瞭にするためのものであり、異なる実施形態間の相関関係を示唆するものではない。以下の実施形態で述べられた方向の用語、例えば、上、下、左、右、前、または後などは、付加の図の方向の参考のためのものである。従って、用いられた方向の用語は、説明のために用いられたものであり、本発明を限定するものではない。
【００１７】
本開示の図面の構成要素または装置は、当業者に公知のどんな形式または構成にも存在することができるということが留意されるべきである。また、「もう１つの層を覆う（ｏｖｅｒｌｙｉｎｇ）層」、「層はもう１つの層の上方（ａｂｏｖｅ）に配置される」、「層はもう１つの層上（ｏｎ）に配置される」、および「層はもう１つの層の上方（ｏｖｅｒ）に配置される」などの表現は、層がもう１つの層と直接接触することを指すだけでなく、層がもう１つの層とは直接接触せず、層ともう１つの層との間に配置された１つ以上の中間層があることも指すことができる。
【００１８】
また、この明細書では、関連する表現が用いられる。例えば、「より低い」、「底部」、「より高い」、または「上部」は、もう１つに対する１つの構成要素の位置を説明するのに用いられる。仮に装置が上下反転された場合、「より低い」側の構成要素は、「より高い」側の構成要素となる、ということが了解されるべきである。
【００１９】
用語「約」および「大抵」は、一般的に、所定値の＋／−２０％を意味し、より一般的に、所定値の＋／−１０％を意味し、さらにより一般的に、所定値の＋／−５％を意味する。本開示の所定値は、近似値である。特定の説明がないとき、所定値は、「約」または「大抵」の意味を含む。
【００２０】
図１は、本発明の一部の実施形態のカメラ装置１００のブロック図を示している。一部の実施形態では、カメラ装置１００は、ハウジング１１０、イメージセンサ１２０、光学レンズ１３０、および駆動アセンブリ１４０を含む。ハウジング１１０は、空間を規定してイメージセンサ１２０、光学レンズ１３０、および駆動アセンブリ１４０をその中に収容する。
【００２１】
光学レンズ１３０の物体側は、ハウジング１１０の入光孔１１１に対応して設置され、且つ光学レンズ１３０の像側は、イメージセンサ１２０に対応して設置される。イメージセンサ１２０は、例えば、電荷結合素子（ＣＣＤ）または相補型金属酸化物半導体（ＣＭＯＳ）などのセンサで構成されたイメージセンサを含むことができる。カメラ装置１００が画像を取り込むとき、入光孔１１１からの光線は、まず光学レンズ１３０で受光され、光学レンズ１３０に沿って前進し、次いで、イメージセンサ１２０に入射する。イメージセンサ１２０は、光線を感知した後、電子信号を発し、画像を生成する。一部の実施形態では、イメージセンサは、長方形の平面形状であり、その長さ幅比は、必要に応じて４：３または１６：９、またはその他の任意の比率であることができる。
【００２２】
駆動アセンブリ１４０は、光学レンズ１３０を駆動し、移動させるように配置され、光学レンズ１３０がＺ方向でイメージセンサ１２０の位置に対して移動し、ズームとフォーカスの目的を達成することができるようにする。駆動アセンブリ１４０は、ボイスコイルモータ、ステッピングモータ、圧電モータ、または任意のその他のモータであることができる。駆動アセンブリ１４０の模範的な例は、２０１６年１月１日広告広報の中華民国特許登録番号Ｉ５１５５０２のレンズ駆動モジュール、または２０１２年４月３日広告広報の中華民国特許登録番号Ｉ５１５５０２の電磁駆動モジュールに記載されている。一部の実施形態では、駆動アセンブリ１４０は、設置が省略されている。光学レンズ１３０は、イメージセンサ１２０の位置に対応して固定される。
【００２３】
一部の実施形態では、光学レンズ１３０の形状は、イメージセンサ１２０の形状に基づいて作製される。この光学レンズ１３０は、従来の円形の光学レンズの、イメージセンサ１２０へ光線を効果的に屈折させることができない領域を取り除き、光学レンズ１３０を通過した光線のほとんどがイメージセンサ１２０に投射されることができるようにするため、カメラ装置１００を縮小する目的を達成することができる。
【００２４】
例えば、図２に示された実施形態では、光学レンズ１３０の光軸Ｃ２は、イメージセンサ１２０の中心Ｃ１に対応して設置され、光学レンズ１３０のエッジは、例えば、第１の直線部１３１と第２の直線部１３２の複数の直線部、および第１の曲線部１３３と第２の曲線部１３４の複数の曲線部を含む。
【００２５】
第１の直線部１３１と第２の直線部１３２は、縦方向軸線Ｘの両側に位置し、且つ縦方向軸線Ｘに平行である。縦方向軸線Ｘは、イメージセンサ１２０の中心Ｃ１を通過し、且つイメージセンサ１２０の長辺方向に平行である。第１の直線部１３１と第２の直線部１３２の間の距離は、イメージセンサ１２０の縦方向軸線Ｘに平行である２つの長辺の間の距離よりやや大きい。第１の曲線部１３３および第２の曲線部１３４は、円５０の弧をなし、且つ横方向軸線Ｙの両側にそれぞれ位置し、横方向軸線Ｙは、イメージセンサ１２０の中心Ｃ１を通過し、且つイメージセンサ１２０の短辺方向に平行である。第１の曲線部１３３および第２の曲線部１３４は、第１の直線部１３１と第２の直線部１３２の間を連結する。イメージセンサ１２０の受光面に平行である平面上にある光学レンズ１３０の断面は、光軸Ｃ２と対称的でない（光軸Ｃ２を対称軸とする回転対称性について、点対称と等価である２回対称を超える対称性を有しない）。
【００２６】
この実施形態では、光学レンズ１３０は、イメージセンサ１２０の領域へ光線を効果的に屈折させることができない、第１の直線部１３１と第２の直線部１３２の外側を取り除いた。したがって、円５０と等しい面積の光学レンズに比べ、横方向軸線Ｙの方向上にある光学レンズ１３０は、より小さい幅を有する。
【００２７】
図３は、本発明の一部の実施形態のカメラ装置１００の分解図を示している。一部の実施形態では、カメラ装置１００は、回路板１５０およびレンズホルダー１６０を更に含む。回路板１５０は、イメージセンサ１２０および外部回路に電気的に連結され、イメージセンサ１２０からの画像信号を外部の電子部品に伝送する。レンズホルダー１６０は、光学レンズ１３０を挟持するように用いられる。駆動アセンブリ１４０が配置されたカメラ装置１００の実施形態では、光学レンズ１３０とレンズホルダー１６０は、一緒に駆動され、イメージセンサ１２０に対して移動される。
【００２８】
一部の実施形態では、ハウジング１１０、回路板１５０、およびレンズホルダー１６０の形状は、光学レンズ１３０の形状に関連して作製され、光学レンズ１３０のエッジの直線部とハウジング１１０、回路板１５０、およびレンズホルダー１６０の隣接する側辺は互いに平行である。また、ハウジング１１０、回路板１５０、およびレンズホルダー１６０の隣接する直線部の側辺は、隣接する曲線部の側辺に比べ、光学レンズ１３０の中心により近い。
【００２９】
例えば、図４に示されるように、光学レンズ１３０の側辺の直線部１３１、１３２とレンズホルダー１６０の隣接する側辺１６１、１６２は、互いに平行である。また、レンズホルダー１６０において直線部１３１、１３２に隣接する側辺１６１、１６２は、曲線部１３３、１３４に隣接する側辺１６３、１６４に比べ、光学レンズ１３０の光軸Ｃ２により近い。ハウジング１１０、回路板１５０、およびレンズホルダー１６０の形状は、光学レンズ１３０の形状に関連して作製されるため、光学レンズ１３０の幅が減少したとき、ハウジング１１０、回路板１５０、およびレンズホルダー１６０の幅もそれに伴って減少する。
【００３０】
本発明の光学レンズの形状は、上述の実施形態の形状に限定されるものではない。以下の内容は、光学レンズのその残りの態様を模範的に説明している。
【００３１】
図５に示すように、この実施形態では、光学レンズ１３０ａは、例えば、直線部としての第１の直線部１３１ａ、および例えば、曲線部としての第１の曲線部１３３ａを含む。
【００３２】
第１の直線部１３１ａは、縦方向軸線Ｘに平行である。第１の直線部１３１ａと縦方向軸線Ｘの間の距離は、イメージセンサ１２０の縦方向軸線Ｘに平行である対向する２つの側辺と縦方向軸線Ｘの間の距離よりやや大きい。第１の曲線部１３３ａは、円５０の弧をなす。また、第１の曲線部１３３ａは、第１の直線部１３１ａの両端に連結する。イメージセンサ１２０に平行である平面上にある光学レンズ１３０ａの断面は、光軸Ｃ２と対称的でない（光軸Ｃ２を対称軸とする回転対称性がみられない）。
【００３３】
この実施形態では、光学レンズ１３０ａは、イメージセンサ１２０の領域へ光線を効果的に屈折させることができない、第１の直線部１３１ａの外側を取り除いた。したがって、円５０と等しい面積の光学レンズに比べ、横方向軸線Ｙの方向上にある光学レンズ１３０ａは、より小さい幅を有する。従って、光学レンズ１３０ａをカメラ装置１００ａに用いるとき、横方向軸線Ｙ上にあるカメラ装置１００ａの幅は、円形の光学レンズを用いたカメラ装置の幅より小さくなる。
【００３４】
図６に示すように、この実施形態では、光学レンズ１３０ｂは、例えば、直線部としての第１の直線部１３１ｂ、第２の直線部１３２ｂ、第３の直線部１３５ｂ、および例えば、曲線部としての第１の曲線部１３３ｂを含む。
【００３５】
第１の直線部１３１ｂ、第２の直線部１３２ｂは、互いに対向し、且つ縦方向軸線Ｘに平行である。第１の直線部１３１ｂ、第２の直線部１３２ｂの間の距離は、イメージセンサ１２０の縦方向軸線Ｘに平行である対向する２つの長辺の間の距離よりやや大きい。第３の直線部１３５ｂは、横方向軸線Ｙに平行であり、第１の直線部１３１ｂの一端から第２の直線部１３２ｂに連結する。第３の直線部１３５ｂと横方向軸線Ｙの間の距離は、イメージセンサ１２０の横方向軸線Ｙに平行である対向する２つの短辺と横方向軸線Ｙの間の距離よりやや大きい。
【００３６】
第１の曲線部１３３ｂは、円５０の弧をなす。また、第１の曲線部１３３ｂは、第１の直線部１３１ｂの一端から第２の直線部１３２ｂの一端に連結する。イメージセンサ１２０に平行である平面上にある光学レンズ１３０ｂの断面は、光軸Ｃ２と対称的でない（光軸Ｃ２を対称軸とする回転対称性がみられない）。
【００３７】
この実施形態では、光学レンズ１３０ｂは、イメージセンサ１２０の領域へ光線を効果的に屈折させることができない、第１、第２、第３の直線部１３１ｂ、１３２ｂ、１３５ｂの外側を取り除いた。したがって、円５０と等しい面積の光学レンズに比べ、縦方向軸線Ｘの方向上にある光学レンズ１３０ｂは、より小さい幅を有する。従って、光学レンズ１３０ｂをカメラ装置１００ｂに用いるとき、縦方向軸線Ｘと横方向軸線Ｙ上にあるカメラ装置１００ｂの幅は、円形の光学レンズを用いたカメラ装置の幅より小さくなる。
【００３８】
図７に示すように、一部の実施形態では、光学レンズ１３０ｃは、例えば、第１の直線部１３１ｃ、第２の直線部１３２ｃ、第３の直線部１３５ｃ、および第４の直線部１３６ｃの直線部を含む。
【００３９】
第１の直線部１３１ｃ、第２の直線部１３２ｃは、互いに対向し、且つ縦方向軸線Ｘに平行である。第１の直線部１３１ｃ、第２の直線部１３２ｃの間の距離は、イメージセンサ１２０の縦方向軸線Ｘに平行である対向する２つの側辺の間の距離よりやや大きい。第３の直線部１３５ｃ、第４の直線部１３６ｃは、互いに対向し、且つ横方向軸線Ｙに平行である。第３の直線部１３５ｃ、第４の直線部１３６ｃの間の距離は、イメージセンサ１２０の横方向軸線Ｙに平行である対向する２つの側辺の間の距離よりやや大きい。イメージセンサ１２０に平行である平面上にある光学レンズ１３０ｃの断面は、光軸Ｃ２と対称的でない（光軸Ｃ２を対称軸とする回転対称性について、点対称と等価である２回対称を超える対称性を有しない）。
【００４０】
この実施形態では、光学レンズ１３０ｃは、イメージセンサ１２０の領域へ光線を効果的に屈折させることができない、第１、第２、第３、第４の直線部１３１ｂ、１３２ｂ、１３５ｂ、１３６ｃの外側を取り除いた。円５０と等しい面積の光学レンズに比べ、縦方向軸線Ｘの方向上にある光学レンズ１３０ｃは、より小さい幅を有する。従って、光学レンズ１３０ｃをカメラ装置１００ｃに用いるとき、縦方向軸線Ｘと横方向軸線Ｙ上にあるカメラ装置１００ｃの幅は、従来の円形の光学レンズを用いたカメラ装置の幅より小さくなる。
【００４１】
図８は、本発明の一部の実施形態の電子装置２００ｄの概略図を示している。電子装置２００ｄは、カメラ装置１００ｃと外ハウジング２１０ｄを含む。外ハウジング２１０ｄは、２つの互いに垂直である側辺２１１ｄおよび２１２ｄを有する。光入射孔２１３ｄは、隣接する側辺２１１ｄと２１２ｄの交差角に設置される。カメラ装置１００ｃは、光学レンズ１３０ｃおよびイメージセンサ１２０（図７）を含む。光学レンズ１３０ｃは、光入射孔２１３ｄに対応して設置される。
【００４２】
この実施形態では、光学レンズ１３０ｃのエッジは、４つの直線部を有し、カメラ装置１００ｃは、より小さい幅を有する。従って、水平方向および垂直方向上にある光学レンズ１３０ｃの光軸Ｃ２は、従来の円形の光学レンズの中心に比べ、側辺２１１ｄおよび２１２ｄに更に近い。
【００４３】
図９は、本発明の一部の実施形態の電子装置２００ｅの概略図を示している。電子装置２００ｅは、２つの図３に示したカメラ装置１００と外ハウジング２１０ｅを含む。外ハウジング２１０ｅは、２つの互いに垂直である側辺２１１ｅおよび２１２ｅを有する。２つの光入射孔２１３ｅは、隣接する側辺２１１ｅと２１２ｅの交差角に設置され、側辺２１１ｅに平行である方向に沿って配列される。２つのカメラ装置１００の光学レンズ１３０は、２つの光入射孔２１３ｅに対応して設置される。図１０に示されるように、２つの光学レンズ１３０の光軸Ｃ２の間に位置する２つの直線部１３１、１３２は、互いに対向する。２つの光学レンズ１３０の光軸Ｃ２は、従来の２つの円形の光学レンズの中心に比べ、より近いため、外ハウジング２１０ｅ内は、その残りの電子部品を収容する、より多くの空間を有する。
【００４４】
注意すべきことは、一般的に、ツインレンズの両者間の対向距離が増加したとき、２つのレンズがそれぞれ撮像した画像は、より大きな違いがあるため、その後のシステムは、より長い時間をかけて画像の処理を行う必要があり、且つ理想的な画像品質を得ることができにくい。反対に、ツインレンズ間の対向距離が減少したとき、２つのレンズがそれぞれ撮像した画像は、より相似するため、異なる画像間でフォーカスをする時間がそれに伴って減少し、これによってよりはっきりした画像を得ることができる。この実施形態では、画像を生成する光線は、２つの互いに離間した、相対的に小さい距離の光学レンズ１３０を通過する。従って電子装置２００ｅの画像品質および画像処理速度は、向上され得る。
【００４５】
もういくつかの実施形態では、図９の２つのカメラ装置１００は、２つのカメラ装置１００ａで代替され、２つのカメラ装置１００ａは、光学レンズ１３０ａをそれぞれ含む。図１１に示されるように、図の左側の光学レンズ１３０ａの直線部１３１ａは、図の左側の光学レンズ１３０ａの直線部１３１ａに対向する。２つの直線部１３１ａは、２つの光学レンズ１３０ａの光軸Ｃ２の間に位置し、且つ両者の間の距離ｄ１は、２つの光学レンズ１３０ａの光軸Ｃ２の間の距離ｄ２より小さい。
【００４６】
図１２は、本発明の一部の実施形態の電子装置２００ｆの概略図を示している。電子装置２００ｆは、４つの撮影装置１００ｃと外ハウジング２１０ｆを含む。外ハウジング２１０ｆは、２つの互いに垂直である側辺２１１ｆおよび２１２ｆを有する。４つの光入射孔２１３ｆは、隣接する側辺２１１ｆと２１２ｆの交差角に設置され、且つ方形行列（２＊２）の方式で配列される。４つのカメラ装置１００ｃは、光学レンズ１３０ｃおよびイメージセンサ１２０（図７）をそれぞれ含む。光学レンズ１３０ｃは、光入射孔２１３ｆに対応して設置される。図１３に示されるように、水平方向上の隣接する２つの光学レンズ１３０ｃの直線部１３１ｃと直線部１３２ｃは互いに対向し、且つ垂直方向上の隣接する２つの光学レンズ１３０ｃの直線部１３５ｃと直線部１３６ｃは互いに対向する。
【００４７】
この実施形態では、４つの光学レンズ１３０の光軸Ｃ２は、
従来の４つの円形の光学レンズの中心に比べ、より近いため、外ハウジング２１０ｆ内は、その残りの電子部品を収容する、より多くの空間を有する。また、画像を生成する光線は、４つの互いに離間した、相対的に小さい距離の光学レンズ１３０を通過するため、電子装置２００ｆの画像品質および画像処理速度は、向上され得る。なお、本発明において、複数のイメージセンサの配列を表す方形行列は、図１２に示す（２＊２）の正方行列に限定されず、（１＊２）や（３＊２）など、他のｍ×ｎ行列（ただし、１×１行列を除く。）であってもよい。
【００４８】
図１４は、本発明の一部の実施形態のカメラ装置１００ｇの断面概略図を示しており、図１５は、本発明の一部の実施形態のカメラ装置１００ｇの上面図を示している。図１４、図１５に示された実施形態では、図１〜図４に示された実施形態と同様または類似する特徴は、同様の番号が用いられ、且つその特徴は、説明の内容を簡素化するように、再度説明しない。
【００４９】
本発明の一部の実施形態に基づいた、カメラ装置１００ｇは、ハウジング１１０ｇ、２つのイメージセンサ１２０、２つの光学レンズ１３０、２つの駆動アセンブリ１４０、２つのフレキシブル基板１７０ｇ、基板１８０ｇ、および２つの位置センサ１９０ｇを含む。
【００５０】
一部の実施形態では、ハウジング１１０ｇは、長方形の平面形状を有する上ハウジング１１１ｇおよび側部ハウジング１１２ｇを含む。２つの入光孔１１３ｇは、２つの光学レンズ１３０の光軸Ｃ２に整列し、上ハウジング１１１ｇの上に形成される。側部ハウジング１１２ｇは、上ハウジング１１１ｇの側辺から基板１８０ｇに向けて延伸し、基板１８０ｇに連結する。基板１８０ｇは、上ハウジング１１１ｇに面する。２つの開口１８１ｇは、２つの光学レンズ１３０の光軸Ｃ２に整列し、基板１８０ｇの上に形成される。
【００５１】
２つの光学レンズ１３０は、ハウジング１１０ｇと基板１８０ｇに定義された空間内に設置される。２つのイメージセンサ１２０は、２つの光学レンズ１３０にそれぞれ面し、基板と互いに離間して設置される。一部の実施形態では、図１５に示されるように、横方向軸線Ｙは、各イメージセンサ１２０の２つの長辺１２１を通過し、各光学レンズ１３０の２つの直線部１３１、１３２を通過する。２つの隣接する光学レンズ１３０の直線部は、直接対向し、互いに平行して設置され、且つ横方向軸線Ｙと各光学レンズ１３０の２つの直線部１３１、１３２は、垂直に配置される。また、２つの縦方向軸線Ｘは、イメージセンサ１２０の２つの短辺１２２をそれぞれ通過し、各光学レンズ１３０の２つの曲線１３３、１３４を通過する。
【００５２】
駆動アセンブリ１４０は、２つの縦方向軸線Ｘの上にそれぞれ設置され、イメージセンサ１２０の短辺１２２に隣接して設置される。駆動アセンブリ１４０は、単一の光学レンズ１３０を駆動し、光学レンズ１３０はイメージセンサ１２０に対して移動される。留意すべきことは、２つの隣接する光学レンズ１３０が対応する駆動アセンブリ１４０は、横方向軸線Ｙの対向側（一方側と他方側）に設置される。例えば、図１５に示されるように、図面の左側の光学レンズ１３０に対応する駆動アセンブリ１４０は、横方向軸線Ｙの上側に位置し、且つ図面の右側の光学レンズ１３０に対応する駆動アセンブリ１４０は、横方向軸線Ｙの下側に位置する。
【００５３】
２つのフレキシブル基板１７０ｇは、２つの縦方向軸線Ｘの上にそれぞれ設置され、イメージセンサ１２０の短辺１２２に隣接して設置される。留意すべきことは、２つの隣接する光学レンズ１３０が対応するフレキシブル基板１７０ｇは、横方向軸線Ｙの対向側（一方側と他方側）に設置される。例えば、図１５に示されるように、図面の左側の光学レンズ１３０に対応するフレキシブル基板１７０ｇは、横方向軸線Ｙの下側に位置し、且つ図面の右側の光学レンズ１３０に対応するフレキシブル基板１７０ｇは、横方向軸線Ｙの上側に位置する。２つの位置センサ１９０ｇ、例えばホールセンサ、は、２つのフレキシブル基板１７０ｇの上にそれぞれ設置され、フレキシブル基板１７０ｇによって外部回路に電気的に接続される（図示されていない）。上述の配置によって、位置センサ１９０ｇが駆動アセンブリ１４０の磁力の干渉を受ける現象が回避または減少される。位置センサ１９０ｇのセンサの精度は更に向上する。また、位置センサ１９０ｇの精度が向上するため、光学レンズ１３０の位置をより正確に制御することができる。
【００５４】
理解すべきことは、図１５に示された実施形態では、駆動アセンブリ１４０とフレキシブル基板１７０ｇは、対応する光学レンズ１３０の対向側にそれぞれ設置されるが、本発明は、これを限定するものではない。駆動アセンブリ１４０とフレキシブル基板１７０ｇは、対応する光学レンズ１３０の同一側に設置されることができる。
【００５５】
図１４、図１５で示された実施形態では、ハウジング１１０ｇ、基板１８０ｇは、複数の光学レンズ１３０で共用されるため、カメラ装置１００ｇは、より少ないアセンブリを有し、組み立てのプロセスを簡素化することができる。また、駆動アセンブリ１４０とフレキシブル基板１７０ｇは、イメージセンサ１２０の短辺１２２に隣接して設置され、且つ光学レンズ１３０の直線部は、イメージセンサ１２０の長辺１２１に平行になるように設置されるため、カメラ装置１００ｇは、従来のツインレンズのカメラ装置に比べ、より小さい体積を有する。
【００５６】
本開示及びそれらの利点の一部の実施形態が詳細に説明されてきたが、添付の請求の範囲によって定義されるように、本開示の精神および範囲を逸脱せずに、本明細書において種々の変更、代替、および改変をすることができることを理解すべきである。例えば、本明細書で述べられる特徴、機能、プロセス、および材料の多くが本開示の範囲を逸脱することなく変更できることが当業者にとっては容易に理解されるだろう。また、本出願の範囲は、本明細書中に述べられたプロセス、機械、製造、物質の組成、手段、方法、及びステップの特定の実施形態に限定されることを意図するものではない。当業者が本開示の開示から容易に理解するように、本明細書で述べられた対応する実施形態と、実質的に同様の機能を実行するか、または実質的に同様の結果を達成する、現存の、または後に開発される、開示、プロセス、機械、製造、物質の組成、手段、方法、またはステップが本開示に従って利用され得る。よって、添付の特許請求の範囲は、上述のプロセス、機械、製造、物質の組成、手段、方法、またはステップを含むように意図される。また、添付の特許請求の範囲は、全てのそのような変更および同様の配置を包含するように、最も広義な解釈が与えられるべきである。
【符号の説明】
【００５７】
１００、１００ａ、１００ｂ、１００ｃ、１００ｇ  カメラ装置
１１０、１１０ｇ  ハウジング
１１１ｇ  上ハウジング
１１２ｇ  側部ハウジング
１１３ｇ  入光孔
１２０  イメージセンサ
１２１  長辺
１２２  短辺
１３０  光学レンズ
１３１、１３１ａ、１３１ｂ、１３１ｃ  直線部（第１の直線部）
１３２、１３２ｂ、１３２ｃ  直線部（第２の直線部）
１３３、１３３ａ、１３３ｂ  曲線部（第１の曲線部）
１３４  曲線部（第２の曲線部）
１３５ｃ  直線部（第３の直線部）
１３６ｃ  直線部（第４の直線部）
１４０  駆動アセンブリ
１５０  回路板
１６０  レンズホルダー
１６１  側辺
１６２  側辺
１７０ｇ  フレキシブル基板
１８０ｇ  基板
１８１ｇ  開口
１９０ｇ  位置センサ
２００ｄ、２００ｅ、２００ｆ  電子装置
２１０ｄ、２１０ｅ、２１０ｆ  ハウジング
２１１ｄ、２１１ｅ、２１１ｆ  側辺
２１２ｄ、２１２ｅ、２１２ｆ  側辺
２１３ｄ、２１３ｅ、２１３ｆ  光入射孔
Ｃ１  中心
Ｃ２  光軸
Ｘ  縦方向軸線
Ｙ  横方向軸線
【図１】
2017138600.tif 000003
【図２】
2017138600.tif 000004
【図３】
2017138600.tif 000005
【図４】
2017138600.tif 000006
【図５】
2017138600.tif 000007
【図６】
2017138600.tif 000008
【図７】
2017138600.tif 000009
【図８】
2017138600.tif 000010
【図９】
2017138600.tif 000011
【図１０】
2017138600.tif 000012
【図１１】
2017138600.tif 000013
【図１２】
2017138600.tif 000014
【図１３】
2017138600.tif 000015
【図１４】
2017138600.tif 000016
【図１５】
2017138600.tif 000017